(57)【要約】【課題】近距離無線通信に伴うバッテリーの消耗を抑えることができる無線通信デバイスを提供する。【解決手段】無線通信デバイスであるＳＩＭホルダーには、無線出力の異なる２つの無線出力回路１４ａ、ｂが備えられている。ＳＩＭホルダーの使用者は、ＳＩＭホルダーを使用する用途によって、高出力（１０ｍＷ）を必要としないときは、低出力（１ｍＷ）で近距離無線通信を行うことで、結果として、近距離無線通信に伴う、ＳＩＭホルダーに内蔵されたバッテリーの消耗を抑えることができる。【選択図】図５
2007158436.tif 000002
【特許請求の範囲】
【請求項１】
カード状の情報記憶媒体を装着し、無線データ通信機能を備えた無線通信デバイスであって、前記無線通信デバイスは、装着された前記情報記憶媒体と通信する手段と、前記情報記憶媒体に記憶されたデータまたはアプリケーションを利用する外部装置と無線で通信する手段として、前記無線通信デバイスに内蔵された電源を利用して作動する近距離無線通信手段とを備え、前記無線通信デバイスは、前記近距離無線通信手段の無線出力を変更する無線出力変更手段を備えていることを特徴とする無線通信デバイス。
【請求項２】
請求項１に記載の無線通信デバイスであって、前記無線通信デバイスに備えられた前記無線出力変更手段は、それぞれ無線出力の異なる複数の無線出力回路と、複数の前記無線出力回路の中から使用する一つの前記無線出力回路を設定する無線出力選択手段とから、少なくとも構成されていることを特徴とする無線通信デバイス。
【請求項３】
請求項２に記載の無線通信デバイスであって、前記無線通信デバイスは、情報を表示する情報表示手段と、前記情報表示手段に表示された複数の情報の中から、一つの情報を選択・決定するための操作ボタンとを備え、前記無線出力選択手段は、複数の前記無線出力回路にそれぞれ対応する無線出力を示す無線出力情報を前記情報表示手段に表示させ、前記操作ボタンで選択・決定された一つの前記無線出力情報に対応する前記無線出力回路を、前記近距離無線通信手段で使用する前記無線出力回路に設定することを特徴とする無線通信デバイス。
【請求項４】
請求項３に記載の無線通信デバイスであって、前記無線通信デバイスに備えられた前記情報表示手段は液晶ディスプレイであることを特徴とする無線通信デバイス。
【請求項５】
請求項１から請求項４のいずれかに記載の無線通信デバイスであって、前記近距離無線通信手段は、赤外線通信、ブルートゥースまたはＺｉｇＢｅｅのいずれかであることを特徴とする無線通信デバイス。
【請求項６】
請求項１から請求項５のいずれかに記載の無線通信デバイスであって、前記無線通信デバイスに装着されるカード状の前記情報記憶媒体は、ＩＣカードもしくはＳＩＭであることを特徴とする無線通信デバイス。
【発明の詳細な説明】
【技術分野】
【０００１】
本発明は、ＳＩＭなどのカード状の情報記憶媒体を内部に装着し使用する無線通信デバイスに関し、更に詳しくは、無線出力を切替えることができる無線通信デバイスに関する。
【背景技術】
【０００２】
小型ＩＣチップを実装したＩＣカードは、ＩＣチップのメモリに機密情報（例えば、認証局の証明証など）を機密に格納できるため、ネットワークのログイン管理やドアゲートの入退室管理などの様々な用途で使用されている。
【０００３】
ただし、ＩＣカードを使用する際は、ＩＣカードとデータの通信を行うリーダライタが必要不可欠になるため、ＩＣカードの利便性を高めるべく、少なくとも、コンピュータに容易に接続するためのＵＳＢ（Universal Serial Bus）インターフェースと、内部に装着したＳＩＭ（Subscriber Identity Module）とデータ通信するためリーダライタの機能を兼ね備えたデバイスが開示されている（例えば、特許文献１、２および３）。
【０００４】
特許文献１で開示されているＳＩＭ（Subscriber Identity Module）およびＳＩＭフォルダーは、ＩＳＯ７８１６規格に準じたリーダライタと、ＳＩＭがＩＳＯ１４４４３規格に準拠した無線通信をするためのアンテナと、ＵＳＢ（Universal Serial Bus）インターフェースとを、少なくとも備えたＳＩＭホルダーで、デュアルインターフェースのＳＩＭを内部に装着して使用する。
【０００５】
また、特許文献２で開示されているＳＩＭホルダーは、上述した機能に加えて、コンピュータと無線で通信する手段として近距離無線通信手段（例えば、ブルートゥース）を備えたＳＩＭフォルダーである。
【０００６】
加えて、特許文献３で開示されているＳＩＭホルダーは、ブルートゥースやＺｉｇＢｅｅなどの近距離無線通信で、一定時間間隔でデータを発信することのできるＳＩＭホルダーである。
【特許文献１】特開２００４−１１８７７１号公報
【特許文献２】特開２００４−２６４９１５号公報
【特許文献３】特願２００４−３２４００５号公報
【発明の開示】
【発明が解決しようとする課題】
【０００７】
特許文献２または特許文献３で開示されているように、ＳＩＭホルダーが近距離無線通信を備えることで、通信距離が１０ｍもしくはそれ以上の距離の無線通信が可能になるが、ブルートゥースなどの近距離無線通信ではＳＩＭホルダーに内蔵されたバッテリーの電力を用いるため、バッテリーの消耗が早くなってしまう問題がある。
【０００８】
特に、ＳＩＭホルダーを位置検知システム（ＬＰＳ:  Local Positioning System）で利用するときなど１０ｍ以上の通信距離を必要とするときは、電波を発信するために必要な電力は大きくなるため、バッテリーの消耗がより早くなってしまう。
【０００９】
上述した問題を鑑みて、本発明は、特許文献２または特許文献３で開示されているＳＩＭホルダーのように、少なくとも近距離無線通信の機能を備え、カード状の情報記憶媒体を内部に装着し使用する無線通信デバイスにおいて、近距離無線通信に伴うバッテリーの消耗を抑えることができる無線通信デバイスを提供することを目的とする。
【課題を解決するための手段】
【００１０】
上述の課題を解決する第１の発明は、カード状の情報記憶媒体を装着し、無線データ通信機能を備えた無線通信デバイスであって、前記無線通信デバイスは、装着された前記情報記憶媒体と通信する手段と、前記情報記憶媒体に記憶されたデータまたはアプリケーションを利用する外部装置と無線で通信する手段として、前記無線通信デバイスに内蔵された電源を利用して作動する近距離無線通信手段とを備え、前記無線通信デバイスは、前記近距離無線通信手段の無線出力を変更する無線出力変更手段を備えていることを特徴とする。
【００１１】
更に、第２の発明は、第１の発明に記載の無線通信デバイスであって、前記無線通信デバイスに備えられた前記無線出力変更手段は、それぞれ無線出力の異なる複数の無線出力回路と、複数の前記無線出力回路の中から使用する一つの前記無線出力回路を設定する無線出力選択手段とから、少なくとも構成されていることを特徴とする。
【００１２】
更に、第３の発明は、第２の発明に記載の無線通信デバイスであって、前記無線通信デバイスは、情報を表示する情報表示手段と、前記情報表示手段に表示された複数の情報の中から、一つの情報を選択・決定するための操作ボタンとを備え、前記無線出力選択手段は、複数の前記無線出力回路にそれぞれ対応する無線出力を示す無線出力情報を前記情報表示手段に表示させ、前記操作ボタンで選択・決定された一つの前記無線出力情報に対応する前記無線出力回路を、前記近距離無線通信手段で使用する前記無線出力回路に設定することを特徴とする。
【００１３】
更に、第４の発明は、第３の発明に記載の無線通信デバイスであって、前記無線通信デバイスに備えられた前記情報表示手段は液晶ディスプレイであることを特徴とする。
【００１４】
なお、第１の発明において、前記カード状の情報記憶媒体は、ＩＣカードまたはＳＩＭ（Subscriber Identify Module）が望ましく、前記情報記憶媒体通信手段手段は、ＩＳＯ７８１６規格に適合した通信手段であることが望ましい。加えて、前記近距離無線通信手段は、赤外線通信、または、ブルートゥース（Blue Tooth）やＺｉｇＢｅｅ等の２．４ＧＨｚ帯を利用した手段であることが望ましい。
【発明の効果】
【００１５】
本発明によれば、前記無線通信デバイスが前記出力電圧変更手段を備えることで、前記無線通信デバイスの用途によって、前記近距離無線通信手段の出力電圧を変更できるため、高出力を必要としないときは、低出力で近距離無線通信を行うことで、結果として、近距離無線通信に伴う、前記無線通信デバイスに内蔵されたバッテリーの消耗を抑えることができる。
【００１６】
更に、本発明によれば、前記無線通信デバイスが複数の前記無線出力回路と、使用する前記無線出力選択手段とを備えることで、無線出力を複数の段階に分けて設定することができ、無線出力の設定が容易になる。
【００１７】
更に、複数の前記無線出力回路に関する前記無線出力情報を表示することで、前記無線通信デバイスの使用者は、用途に合わせて容易に使用する無線出力を設定できる。また、情報を表示する情報表示手段を液晶ディスプレイとすることで、使用者の認識性が高まり、かつ、情報を表示させるために必要な消費電力も小さくすることができる。
【００１８】
更に、前記情報記憶媒体を、ＩＣカードまたはＳＩＭ（Subscriber Identify Module）とすることで、金融用途やユーザ認証などの様々な用途で利用されているＩＣカードまたはＳＩＭを利用することができる。
【発明を実施するための最良の形態】
【００１９】
ここから、本発明の無線通信デバイスであるＳＩＭホルダーについて、図を参照しながら詳細に説明する。図１は、ＳＩＭホルダーの外観の一例を示した図である。
【００２０】
図１に示したようにＳＩＭホルダー１の左側には、ＵＳＢコネクタ１５０のＡコネクタ（オス）を備え、ＳＩＭホルダー１の所有者の個人情報などが記憶されたＳＩＭ２を挿入するスロット１７が、ＳＩＭホルダー１の右側に設けられている。
スロット１７からＳＩＭ２を挿入することで、ＳＩＭホルダー１内にＳＩＭ２が装着され、特許文献１から特許文献３などで開示されているようなＳＩＭホルダーとして使用できる。
【００２１】
なお、図１においては、ＵＳＢコネクタ１５０をＡコネクタ（オス）としているが、ＵＳＢコネクタ１５０はミニＢコネクタ（メス）であってもよい。ＵＳＢコネクタ１５０をミニＢコネクタ（メス）とすることで、ＳＩＭホルダー１のＵＳＢコネクタ１５０の出っ張りを無くすことができる。
【００２２】
更に、ＳＩＭホルダー１は外部装置と無線通信する無線通信手段を備え、無線通信手段を実現するために必要な部品（例えば、電気回路やアンテナ等）は、ＳＩＭホルダー１の内部に内蔵され、ＳＩＭホルダー１の外側からは見えない構造となっている。
【００２３】
更に、図１に示したように、ＳＩＭホルダー１の外側には、前述したＵＳＢコネクタ１５０に加え、情報を表示する液晶ディスプレイ１１０、電源の入／切を行う電源ボタン１６３、液晶ディスプレイ１１０に表示されるメニュー情報から一つの情報を選択するときに使用する選択ボタン１６１、選択ボタン１６１で選択した情報を決定するときに使用する決定ボタン１６２を備えている。
【００２４】
本実施の形態において、液晶ディスプレイ１１０は、コストの安いＳＴＮ液晶（Super Twisted Nematic liquid crystal)としている。ＳＩＭホルダー１のディスプレイとしては、薄型で消費電力の小さいディスプレイが望ましく、ＳＴＮ液晶よりも表示能力に優れているがコストの高いＴＦＴ液晶（Thin Film Transistor）、ＤＳＴＮ液晶（Dual-scan Super Twisted Nematic）や、有機ＥＬディスプレイ（organic electroluminescence display）等のディスプレイも、ＳＩＭホルダー１のディスプレイとして利用できる。
【００２５】
図２には、ＳＩＭホルダー１で電気的に接続される部品を示した図である。図２に示したように、ＳＩＭホルダー１には、図１で示した、ＵＳＢコネクタ１５０、液晶ディスプレイ１１０、電源ボタン１６３、選択ボタン１６１、決定ボタン１６２以外に、ホルダーコントローラ１０、ＵＳＢコントローラ１５、液晶コントローラ１１、ＳＩＭコントローラ１２、接続端子板１２０、無線通信コントローラ１４、アンテナ１４０およびバッテリー１３などの電気部品が内蔵される。
【００２６】
なお、図２には、本発明に係わるＳＩＭホルダー１の説明に必要な部品のみを記載している。ＳＩＭホルダー１には、図示していない他の電気部品（例えば、指紋センサなど）を備えることも可能である。
【００２７】
バッテリー１３とは、ＳＩＭホルダー１に備えられた各電気部品に電力を供給するために設けられている。図２に示したように、バッテリー１３と電源供給ライン１３ａの間には、電源ボタン１６３が設けられ、この電源ボタン１６３がＯＮ状態になると、図２に示した各電気部品にバッテリー１３から電力が供給される。
【００２８】
本実施の形態において、バッテリー１３は二次バッテリー（例えば、小型のリチウムバッテリー）を採用し、ＵＳＢコネクタ１５０がコンピュータのＵＳＢポートに接続されている間は、ＵＳＢバスパワー（bus power）からバッテリー１３に電力が充電される仕組みとしている。
【００２９】
図２において、ホルダーコントローラ１０とは、ＣＰＵ（Central Processing Unit）やメモリなどから構成される電気部品で、ＳＩＭホルダー１に備えられた各電気部品を制御する役割を果たす。
【００３０】
ホルダーコントローラ１０のＣＰＵを動作させるプログラムはメモリに記憶され、メモリは、ＣＰＵが実行するプログラムを記憶するフラッシュＲＯＭ（Read Only Memory）や、処理中のデータを一時的に記憶するＳＲＡＭ（Static Random Access Memory）など複数の種類の記憶素子から構成されている。
【００３１】
液晶コントローラ１１とは、液晶ディスプレイ１１０を駆動させ、ホルダーコントローラ１０から送信された情報を液晶ディスプレイ１１０に表示されるために設けられた電気部品である。
【００３２】
ＳＩＭコントローラ１２と接続端子板１２０とは、ＳＩＭホルダー１がＳＩＭホルダー１に装着されるＳＩＭ２とデータ通信し、ＳＩＭ２を利用するために設けられた電気部品である。
【００３３】
図３は、ＳＩＭホルダー１のスロット１７から挿入され、ＳＩＭホルダー１に装着されるＳＩＭ２を説明する図である。ＳＩＭ２とは、図３に示したように、接触型ＩＣカードのＩＣチップ近傍を短冊状に切り取った形状をしており、ＵＩＭ（User Identify Module）も図３に示したカード形状と同じ形状をしている。
【００３４】
本実施の形態において、ＳＩＭ２のＩＣチップ２０は、ＩＳＯ７８１６規格に準拠した８個の接触端子２１を有し、ＩＳＯ７８１６規格に準拠した接触通信に対応している。
更に、ＩＣチップ２０にはＳＩＭホルダー１の所有者を識別するデータ（以下、所有者識別データと記す）や、ネットワークへのログインシステム用途、ドアゲート用途および位置検知システム（LPS：Local Positioning System）用途に必要となるアプリケーションプログラムが少なくとも記憶されている。
【００３５】
なお、本実施の形態において、ＳＩＭ２は、ＩＳＯ７８１６規格に準拠した接触通信のみをサポートしているが、本出願人に係わる特許文献１で開示されている発明をＳＩＭ２に適用すれば、ＩＳＯ１４４４３規格に準拠した非接触近接通信による通信も可能である。加えて、本発明においては、ＩＣチップ２０に実装されるＯＳ（Operating System）およびアプリケーションプログラムの種別を問はない。
【００３６】
図４は、ＳＩＭ２がＳＩＭホルダー１に装着された状態を説明する図である。図１に示したように、ストッパー１８などを設けることで、ＳＩＭホルダー１のスロット１７から挿入されたＳＩＭ２はＳＩＭホルダー１内の所定の位置に止まる。所定の位置にセットされたＳＩＭ２のＩＣチップ２０面と対向する位置には、接続端子板１２０が設けられている。
【００３７】
図２や図４に示しているように、接続端子板１２０の表面には８個の接続端子１２１が設けられ、ＳＩＭ２が挿入されると、８個の接続端子１２１はＩＣチップ２０の８個の接触端子２１とそれぞれ接続し、ＳＩＭホルダー１とＳＩＭ２とは電気的に接続される。
【００３８】
図２のＳＩＭコントローラ１２とは、ＳＩＭホルダー１に装着されたＳＩＭ２との通信を制御する回路で、ＳＩＭ２を動作させるために必要な機能、例えば、クロック信号やリセット信号等の電気信号を生成する機能、ＩＳＯ７８１６に準拠した通信プロトコル（例えば、Ｔ＝１）を制御する機能などを有している。
【００３９】
ホルダーコントローラ１０は、ＳＩＭコントローラ１２を制御することで、ＳＩＭ２とのデータ通信が可能になり、ＳＩＭ２に記憶されたデータやアプリケーションを利用できる。
【００４０】
ＳＩＭホルダー１に備えられたＵＳＢコントローラ１５は、ＵＳＢコネクタ１５０を利用して、ＳＩＭホルダー１が図外のコンピュータとＵＳＢ規格に準拠したデータ通信し、ＳＩＭホルダー１に装着されたＳＩＭ２を図外のコンピュータが利用できるために設けられている。
【００４１】
ＳＩＭホルダー１に備えられた無線通信コントローラ１４は、アンテナ１４０を利用して、ＳＩＭホルダー１と図外のコンピュータシステム（例えば、ＬＰＳ）と近距離無線通信を行う手段で、ＳＩＭホルダー１に装着されたＳＩＭ２を、図外のドアゲートシステムやＬＰＳなどで利用できるために設けられている。
【００４２】
本実施の形態において、近距離無線通信で使用する周波数帯は２．４ＧＨｚ帯である。ＳＩＭホルダー１に内蔵されたバッテリー１３の電力を利用し、２．４ＧＨｚ帯の周波数を使用する無線通信規格（例えば、Blue ToothやZigBee）で無線通信することで、最大３０ｍ程度までの通信距離を実現できる。
【００４３】
図５は、無線通信コントローラ１４を詳細に説明する図である。本実施の形態におけるＳＩＭホルダー１の無線通信コントローラ１４には、近距離無線通信において、２種類の無線出力が設定できるように、２つの無線出力回路１４ａ、ｂと、ホルダーコントローラと通信するＩ／Ｏポート１４ｃを備えている。
【００４４】
１つ目の無線出力回路１４ａは、無線出力が１ｍＷになるように無線出力が調整された回路で、１ｍＷの出力で２〜３ｍ程度の通信距離を実現でき、ドアゲートなどの通信距離をさほど必要としないアプリケーションに適している。
【００４５】
２つめの無線出力回路１４ｂは、無線出力が１０ｍＷになるように無線出力が調整された回路で、１０ｍＷの出力で３０ｍまでの通信距離を実現でき、ＬＰＳなど、１０ｍ以上の通信距離を必要とするアプリケーションに適している。
【００４６】
無線通信コントローラ１４が無線出力の異なる２種類の無線出力回路１４ａ、ｂを備えているのは、ＳＩＭホルダー１に備えられたバッテリー１３の無駄な消耗を防止するためである。
【００４７】
本実施の形態では、ＳＩＭホルダー１はＬＰＳの用途に使用でき、ＬＰＳで必要とする通信距離を確保するためには１０ｍＷの無線出力が必要となる。ただし、常時、１０ｍＷの無線出力で無線通信すると、ドアゲートなど通信距離をさほど必要としないときでも、１０ｍＷの無線出力で無線通信してしまうためバッテリー１３の消耗が早くなってしまう。
【００４８】
そこで、本発明に係るＳＩＭホルダー１は、無線出力が１ｍＷと１０ｍＷの２つの無線出力回路１４ａ、ｂを備え、ＳＩＭホルダー１の用途によって、使用する無線出力を切替えることで、バッテリー１３の消耗を抑える。
【００４９】
すなわち、ＳＩＭホルダー１がネットワークへのログインの用途で使用されるときは、無線出力が１ｍＷの無線出力回路１４ａが使用され、ＳＩＭホルダー１がＬＰＳの用途で使用されるときは、無線出力が１０ｍＷの無線出力回路１４ｂが使用される。
このように、用途によって無線出力を切替えることで、不要な電力を抑えることができ、バッテリー１３の消耗を抑えることができる。
【００５０】
無線通信コントローラ１４が２つの無線出力回路１４ａ、ｂのいずれかを使用して通信するかは、ホルダーコントローラ１０が無線通信コントローラ１４のＩ／Ｏポート１４ｃに入力する設定信号で示される。
【００５１】
Ｉ／Ｏポート１４ｃに、１ｍＷの無線出力回路１４ａを使用するデータが入力された場合は、無線通信コントローラ１４は１ｍＷの無線出力回路１４ａを利用して近接型無線通信を行い、Ｉ／Ｏポート１４ｃに、１０ｍＷの無線出力回路１４ｂを使用するデータが入力された場合は、無線通信コントローラ１４は１０ｍＷの無線出力回路１４ｂを利用して近接型無線通信を行う。
【００５２】
ＳＩＭホルダー１の所有者が無線出力を切替えることができるように、ＳＩＭホルダー１には無線出力を切替える手段を備え、この手段は、液晶ディスプレイ１１０、選択ボタン１６１および決定ボタン１６２などの電気部品によって実現される。
【００５３】
図６は、ＳＩＭホルダー１の所有者が無線出力を切替えるときに、液晶ディスプレイ１１０に表示される情報の一例である。
ホルダーコントローラ１０のメモリには、少なくとも、近距離無線通信の無線出力を設定ためのプログラムが記憶され、このプログラムが動作すると、ホルダーコントローラ１０は液晶コントローラ１１に、図６の情報を表示させる命令を送る。
【００５４】
図６の情報には、ＳＩＭホルダー１に備えられた無線出力回路（ここでは、無線出力回路１４ａ、ｂの２つ）ごとに、無線出力に関する無線出力情報が表示され、ＳＩＭホルダー１の所有者は、液晶ディスプレイ１１０に表示される無線出力情報を参照しながら、選択ボタン１６１および決定ボタン１６２を操作して、使用する無線出力を決定できる。
なお、液晶ディスプレイ１１０に関する情報を表示するときは、使用する無線出力で実現できる最大通信距離を示すとよい。
【００５５】
液晶ディスプレイ１１０の図６の情報が表示されている状態で、ＳＩＭホルダー１の所有者が選択ボタン１６１を押すと、選択ボタン１６２が押されたことを示すトリガーがホルダーコントローラ１０に入力される。
【００５６】
ホルダーコントローラ１０は、選択ボタン１６１が押されるごとに、図６で表示されている三角の図形を移動させ、所持者は使用する無線出力を選択することができる。また、決定ボタン１６２を押すことで、三角の図形が示す無線出力用の回路を設定する命令が、ホルダーコントローラ１０から無線通信コントローラ１４のＩ／Ｏポート１４ｃに送信され、ＳＩＭホルダー１の無線出力は、三角の図形が示す無線出力に設定される。
【００５７】
図７は、本発明に係るＳＩＭホルダー１の利用方法を説明する図である。図７は、オフィスでのＳＩＭホルダー１の利用方法を説明する図で、ＳＩＭホルダー１はオフィスのドアゲートにおいては、無線出力が１ｍＷで、ゲート３０とＳＩＭホルダー１が通信し、ＳＩＭ２に記憶されたドアゲートのアプリケーションを利用して、ＳＩＭホルダー１の所持者の入退室管理が行われる。
【００５８】
また、オフィスでパーソナルコンピュータ３１を利用して、社内のネットワークシステムにログインするときは、ＵＳＢインターフェースを利用して、コンピュータ３１とＳＩＭホルダー１が通信し、ＳＩＭ２に記憶されたログインのアプリケーションを利用して、所持者のログインが管理される。
【００５９】
更に、ＳＩＭホルダー１の所持者がオフィスのセキュリティルームにいるときは、空中無線出力が１０ｍＷで、位置検出端末３２とＳＩＭホルダー１が通信し、ＳＩＭ２に記憶されたＬＰＳのアプリケーションを利用して、ＳＩＭホルダー１の位置管理が行われる。
【図面の簡単な説明】
【００６０】
【図１】ＳＩＭホルダーの外観の一例を示した図。
【図２】ＳＩＭホルダーで電気的に接続される部品を示した図。
【図３】ＳＩＭを説明する図。
【図４】ＳＩＭがＳＩＭホルダーに装着された状態を説明する図。
【図５】無線通信コントローラを詳細に説明する図。
【図６】液晶ディスプレイに表示される情報の一例。
【図７】ＳＩＭホルダーの利用方法を説明する図。
【符号の説明】
【００６１】
１  ＳＩＭホルダー
１０  ホルダーコントローラ
１１  ＬＣＤコントローラ
１１０  液晶ディスプレイ
１３  バッテリー
１４  無線通信コントローラ
１４ａ  無線出力回路（１ｍＷ）
１４ｂ  無線出力回路（１０ｍＷ）
１４ｃ  Ｉ／Ｏポート
１４０  アンテナ
２  ＳＩＭ
【図１】
2007158436.tif 000003
【図２】
2007158436.tif 000004
【図３】
2007158436.tif 000005
【図４】
2007158436.tif 000006
【図５】
2007158436.tif 000007
【図６】
2007158436.tif 000008
【図７】
2007158436.tif 000009